【事件の表示】
　平成７年特許願第８３６１３号「温度調節ができる動物用マット」拒絶査定に対する審判事件［平成７年１２月１２日出願公開、特開平７−３２２７８５］について、次のとおり審決する。
【結　論】
　本件審判の請求は、成り立たない。
【理　由】
一、手続の経緯及び本願発明
　本願は、平成６年４月８日に特許出願された特願平６−７０３５８号を基礎とする国内優先権を主張して、平成７年４月１０日に特許出願された特願平７−８３６１３号の出願であって、本願の発明は、平成１２年７月１０日付けの手続補正により補正された明細書及び図面の記載からみて、その特許請求の範囲の請求項１ないし請求項８に記載された事項により特定されるとおりのものであるところ、その請求項１に係る発明（以下、これを「本願発明１」という。）は、次の事項により特定されるとおりのものである。
　「【請求項１】側部または底部に吸気口と排気口を備えた筐体と、当該筐体に収納して、吸気口側に設けた冷却ファンと、冷却ファンの吐出空気と熱交換して排気口へ排気する、冷却できる手段と加温できる手段を備えた熱制御部と、筐体の上面部に設けて上記熱制御部と熱伝導接続しほぼ水平方向に保持した熱伝導体のマットと、マットの端縁部のうち、すくなくとも排気口側の端縁部に沿って、マットの上面部よりも高い障壁部をマットまたは
筐体
　
　なお、上記請求項１中の「匡体」は、出願当初の明細書の記載に照らせば、「
筐体
　
二、引用刊行物における記載事項
　原審における拒絶査定の理由に引用された、本願の特許出願前に頒布された刊行物である実願平１−６８０９６号（実開平３−１０１１２号）のマイクロフイルム（以下、「引用刊行物１」という。）には、ペット用冷暖房装置に関し、次の事項が記載されている。
　『本考案は前記目的を達成するために、装置本体の表面に露出する冷暖房用プレートと、該冷暖房用プレートの下面に付設された電子冷却素子と、該電子冷却素子の下面に付設された放熱フィン付きのヒートシンクと、該ヒートシンクに風を循環させるファンモー夕と、前記電子冷却素子に起動電流を供給する電源と、該電源から電気冷却素子に流れる電流の方向を切替える切替スイッチとを具備したペット用冷暖房装置において、装置本体の冷暖房用プレートの下側に該装置本体を横方向に貫通する通風ダクトを形成し、該通風ダクトにヒートシンクをその放熱フィンが通風方向と平行になるように配置すると共に、ファンモー夕を前記通風ダクトのヒートシンクの側面側に配置し、また、前記電子冷却素子を冷暖房用プレートの下面中央に配置したことを特徴としている。』（明細書４頁１３行〜５頁８行）
　『本考案によれば、切替スイッチによって電源から電気冷却素子に流れる電流の方向を切替えると、電子冷却素子の冷暖房用プレート側に吸熱作用または放熱作用が生じ、これにより冷暖房プレートが冷却または加熱され犬小屋等の冷暖房が行なわれる。　冷暖房時において電子冷却素子からヒートシンクに伝えられる温熱または冷熱は、通風ダクト内において通風方向と平行に配置された放熱フィンから効率よく放出され外部に導出される。　また、ファンモータが通風ダクトのヒートシンクの側面側に配置されているので、装置本体を薄く構成することができる。　更に、電子冷却素子が冷暖房用プレートの下面中央に配置されていることから、冷暖房用プレート全体に対する伝熱の応答性を高めることができると共に、該冷暖房用プレートをほぼ均一に加熱または冷却することができる。』（明細書５頁１０行〜６頁７行）
　『本実施例におけるペット用冷暖房装置は、装置本体１と、冷暖房用プレート２と、電子冷却素子３と、ヒートシンク４と、ファンモータ５と、電源６と、冷暖房の切替スイッチ７と、温度制御用の温度スイッチ８から主に構成されている。　前記装置本体１は木材，プラスチック等からなり、図中左側が半円形の平板状をなしている。この装置本体１は第１図（ａ）において上下方向に貫通する断面長方形の通風ダクト１ａを有しており、該通風ダクト１ａの一側（同図上側）に通気孔１ｂを具備した機械室１ｃを備えている。また、この装置本体１の上面隈部には可動状態表示用のＬＥＤ（発光ダイオード）が配設されている。　前記冷暖房用プレート２は熱伝導性及び耐久性に優れたアルミニウム等の金属から矩形状に形成されており、装置本体１にその上面が装置本体１の上面と一致するように埋設されている。　前記電子冷却素子３は第１図（ｅ）に示すように、複数のＰ型半導体３ａ及びＮ型半導体３ｂを金属板３ｃで直列に接続し、各金属板３ｃに絶縁板３ｄを夫々接合した周知のものであり、金属板３ｃの端部間に電流を流すことによりペルチェ効果によって一方の絶縁板３ｄ側で吸熱作用または放熱作用を、他方の絶縁板３ｄ側で前記とは逆の作用を生じさせることができる。この電子冷却素子３は前記冷暖房用プレート２の下面中央に一方（上側）の絶縁板３ｄを付設し配置されている。　前記ヒートシンク４は熱伝導性に優れたアルミニウム，銅等の金属から形成されており、断面コ字形の本体４ａとその内側に平行に配設された多数の放熱フィン４ｂとから構成されている。このヒートシンク４は通風方向の長さよりも幅が大きく形成され、また前記通風ダクト１ａと同一の断面形を有しており、該通風ダクト１ａ内に放熱フィン４ｂを下側にして、且つ放熱フィン４ｂが通風方向と平行になるように配置されている。また、このヒートシンク４の上面中央には前記電子冷却素子３の他方（下側）の絶縁板３ｄが付設している。　前記ファンモータ５は機械室１ｃ内において前記通風ダクト１ａのヒートシンク４の側面側に配置されている。　前記電源６は交流を所定電圧の直流に変換するもので、前記機械室１ｃ内に配置されており、電源スイッチ６ａを有するコードプラグ６ａを機械室１ｃから突出している。　前記切替スイッチ７は装置本体１の側面に設けられており、また温度スイッチ８はサーモスタット等からなり、前記冷暖房用プレート２の下面の電子冷却素子３から離れた位置に付設されている。』（明細書６頁１６行〜９頁５行）
　『次に、本実施例のペット用冷暖房装置の動作について説明する。　電源スイッチ６ａを投入した状態で、切替スイッチ７が第１図（ｅ）で実線の位置にあるときは、電子冷却素子３にはＮ型半導体３ｂからＰ型半導体３ａの方向に電流が流れ、この結果、上側の金属板３ｃ及び絶縁板３ｄが放熱作用を、また下側の金属板３ｃ及び絶縁板３ｄが吸熱作用を生じる。これにより冷暖房用プレート２が加熱され犬小屋等が暖房される。この暖房時において電子冷却素子３からヒートシンク４に伝えられる冷熱は、放熱フィン４ｂから放熱され、通風ダクト１ａ内を流通する空気と共に通気孔１ｂを通じて外部に導出される。　また、切替スイッチ７が第１図（ｅ）で破線の位置にあるときは、電子冷却素子３にはＰ型半導体３ａからＮ型半導体３ｂの方向に電流が流れ、この結果、上側の金属板３ｃ及び絶縁板３ｄが吸熱作用を、また下側の金属板３ｃ及び絶縁板３ｄが放熱作用を生じる。これにより冷暖房用プレート２が冷却され犬小屋等が冷房される。この冷房時において電子冷却素子３からヒートシンク４に伝えられる温熱は、放熱フィン４ｂから放熱され、通風ダクト１ａ内を流通する空気と共に通気孔１ｂを通じて外部に導出される。』（明細書１０頁８行〜１１頁１２行）
　『このように、本実施例のペット用冷暖房装置によれば、切替スイッチ７によって電源６から電気冷却素子３に流れる電流の方向を切替えることにより、電子冷却素子３の冷暖房用プレート２側に吸熱作用または放熱作用を選択的に生じさせ、冷暖房用プレート２を加熱または冷却して犬小屋等の冷暖房が行なうことができる。　また、冷暖房時において電子冷却素子３からヒートシンク４に伝えられる温熱または冷熱を、通風ダクト１ａ内において通風方向と平行に配置された放熱フィン４ｂから効率よく放出させ外部に導出させることができるので、放熱を効果的に行なって冷暖房効率を高めることができる。また、ヒートシンク４として通風方向の長さよりも幅が大きいものを使用しているので、放熱フィン４ｂにおける熱交換効率を高めて前記冷暖房効率をより一層向上させることができる。　更に、ファンモー夕５が通風ダクト１ａのヒートシンクの側面側に配置されていることから、装置本体１を薄く構成することができるので、幼犬等の体の小さなペットでも冷暖房用プレート２１の上面に容易に上がることができる。　更に、電子冷却素子３が冷暖房用プレ−ト２の下面中央に配置されていることから、冷暖房用プレート全体に対する伝熱の応答性を高めることができると共に、冷暖房用プレート２をほぼ均一に加熱または冷却してその温度分布を偏りなくほぼ均一にすることができる。』（明細書１１頁１３行〜１２頁２０行）
　また、上記引用刊行物１に添付の第１図（ｃ）には、ペット用冷暖房装置の装置本体１の左側端部の空気吸入口と右側端部の空気排出口（通気口１ｂ）と、中間部のヒートシンク４の放熱フィン４ｂとにより、前記本体１内を通風方向が平行に貫通するように形成された通風ダクト１ａを有する機械室１ｃにおいて、空気排出口側である前記通気口１ｂ側の機械室１ｃ内にファンモータ５を設けて、前記ファンモータ５のファンの空気吸引力により、図中に図示された矢印の単一方向に、反対側の空気吸入口から機械室１ｃ内に取り入れた空気を通気口１ｂから排気するようになっていて、しかも、空気排出口（通気口１ｂ）側の装置本体１の右側端部が装置本体１の表面に露出する冷暖房用プレート２上面よりも一段高い断面板カマボコ状の山形状部が形成されているペット用冷暖房装置の断面図、が記載されている。
　そうしてみると、引用刊行物１の上記摘記事項及び添付図面の記載からみて、前記引用刊行物１には、「装置本体１の表面に露出する冷暖房用プレート２と、該冷暖房用プレート２の下面に付設され、吸熱作用または放熱作用を生じさせることができる電子冷却素子３と、該電子冷却素子３の下面に付設された放熱フィン４ｂ付きのヒートシンク４と、該ヒートシンク４に風を循環させるファンモー夕５と、前記電子冷却素子３に起動電流を供給する電源６と、該電源６から電気冷却素子３に流れる電流の方向を切替える切替スイッチ７とを具備したペット用冷暖房装置において、装置本体１の冷暖房用プレート２の下側に、装置本体１の左側端部の空気吸入口と右側端部の空気排出口（通気口１ｂ）と、中間部のヒートシンク４の放熱フィン４ｂとにより、該装置本体１を横方向に貫通する通風ダクト１ａが形成され、該通風ダクト１ａにヒートシンク４をその放熱フィン４ｂが通風方向と平行になるように配置すると共に、ファンモー夕５を前記通風ダクト１ａのヒートシンク４の側面側に配置して、冷暖房時における電子冷却素子３からの温熱または冷熱を、ファンモー夕５のファンにより、通風ダクト１ａ内に単一方向に吸入空気を流通させて、ヒートシンク４の放熱フィン４ｂから効率よく装置本体１の外部に導出させ、また、前記電子冷却素子３を冷暖房用プレート２の下面中央に配置させると共に、空気排出口（通気口１ｂ）側の装置本体１の右側端部に装置本体１の表面に露出する冷暖房用プレート２上面よりも一段高い断面板カマボコ状の山形状部を形成したペット用冷暖房装置」の発明についての記載が認められる。
　
三、当審の判断
（１）比較・対比及び一致点・相違点
　本願発明１と上記引用刊行物１に記載の発明（以下、「引用発明１」という。）とを比較・対比すると、引用発明１における「空気吸入口」「空気排出口（通気口１ｂ）」「装置本体１」「ファンモー夕５のファン」「吸熱作用または放熱作用を生じさせることができる電子冷却素子３」「冷暖房用プレート２」「断面板カマボコ状の山形状部」「ペット用冷暖房装置」が、本願発明１の「吸気口」「排気口」「筐体」「冷却ファン」「冷却できる手段と加温できる手段を備えた熱制御部」「熱伝導体のマット」「障壁部」「温度調節ができる動物用マット」にそれぞれ対応することは明らかである。
　そうすると、両者は「側部に吸気口と排気口を備えた筐体と、当該筐体に収納して設けた冷却ファンと、空気と熱交換して排気口へ排気する、冷却できる手段と加温できる手段を備えた熱制御部と、筐体の上面部に設けて上記熱制御部と熱伝導接続しほぼ水平方向に保持した熱伝導体のマットと、マットの端縁部のうち、すくなくとも排気口側の端縁部に沿って、マットの上面部よりも高い障壁部を筐体に設けた、温度調節ができる動物用マット」である点で一致し、次の点で両者の構成が相違する。
　
相違点１
　
（２）相違点についての検討
　上記相違点１について検討する。
　引用発明１における前記ファンモータ５のファンの作用は、上記「二、引用刊行物における記載事項」欄に摘記した引用刊行物１における記載事項及び添付の第１図（ｃ）における図示内容についての記載を参酌すれば、つぎのとおりである。
　すなわち、ファンモータ５のファンの空気吸引力によって通風ダクト１ａ内の空間を負圧にすることにより、空気吸入口から通風ダクト１ａのダクトの長さ方向に空気が吸引されて通風ダクト１ａ内に空気が吸入され、そして、通風ダクト１ａ内を一方向に流通する空気とヒートシンク４の放熱フィン４ｂとの間で、冷暖房時における電子冷却素子３からの温熱または冷熱を空気を媒体とする熱交換を強制し、しかる後に、熱交換により加熱又は冷却された前記空気を、ファンモータ５のファンにより、通気口１ｂから排気させて、ヒートシンク４の温熱または冷熱を放出させて装置本体１の外部に導出するというものである。
　してみると、引用発明１の前記ファンモータ５のファンの設置目的が、空気をヒートシンク４の放熱フィン４ｂ間の通風ダクト１ａ内に単一方向に流通させて、放熱フィン４ｂを空気に曝すことにより、ヒートシンク４の冷暖房時における電子冷却素子３からの温熱または冷熱を空気に強制的に熱移動させて熱交換をして、結果的に、ヒートシンク４の温熱または冷熱が移動して加熱又は冷却された空気を、ペット用冷暖房装置の装置本体１の外部に導出することにあることは、明らかである。
　そうすると、引用発明１の前記ファンモータ５のファンの設置目的にてらせば、単に通風ダクト１ａ内で単一方向に空気を流通するようにできさえすれば、ファンを設置する目的は充足されるということができるから、ファンを設置する位置を、引用発明１のような空気排出口（通気口１ｂ）側とするか、或いは本願発明１のような空気吸入口側とするかの相違は、当業者が適宜選択できる設計的事項にすぎないことである。
　そうしてみると、引用発明１のファンモータ５のファンの配置位置である空気排出口（通気口１ｂ）側に代えて、空気吸入口側にファンモータ５のファンの配置位置を変更することにより、本願発明１の相違点１に係る前記「筐体に収納して設ける冷却ファンを吸気口側に設けて、冷却ファンの吐出空気と熱交換させる」構成を得ることは、当業者にとり格別の困難性を要することではない。そして、本願発明１の相違点１に係る前記構成とした点に格別の相乗効果を認めることができない。
　
（３）まとめ
　したがって、本願発明１は、引用刊行物１に記載された発明に基いて当業者が容易に発明をすることができたものである。
　
四、むすび
　以上のとおりであり、請求項１に係る本願発明１は、上記引用刊行物１に記載された発明に基いて当業者が容易に発明をすることができたものであるから、本願発明１は特許法第２９条第２項の規定により特許を受けることができない。
　よって、結論のとおり審決する。